(57)【特許請求の範囲】
【請求項１】
ガスメータの側部に取り付け治具を装着すると共にこの取り付け治具に通信端末装置を取着するガスメータへの通信端末装置の取り付け構造において、通信端末装置は、上部に取り付け片を設けた本体と、該本体に着脱自在に取り付けられて本体の下部に設けた端子台を覆う端子カバーとからなり、取り付け治具の両側に平行に対向するように設けた弾性を有する一対の固定片をガスメータの側部の前面と後面に沿わせると共に固定片に設けた穴または窪みの係止部をガスメータの組み立て用ねじの頭部に係止し、取り付け治具にセットした通信端末装置の取り付け片をガスメータの側面と取り付け治具との間に配置し、ガスメータ側から取り付けねじを上記取り付け片に穿孔した取り付け穴を介して取り付け冶具に設けた未貫通のねじ穴に螺入して通信端末装置を固定し、取り付け冶具に一体に設けた下面が開口した箱状のカバー部とガスメータとの間に通信端末装置を挟み込んで、該カバー部で通信端末装置の上部から端子カバーの直上位置までを覆うと共に取り付け冶具で端子カバーを覆わずに端子カバーを露出させたことを特徴とするガスメータへの通信端末装置の取り付け構造。
【請求項２】
通信端末装置の取り付け片を取り付ける位置で取り付け治具に肉厚方向に厚くしたねじ止め用厚肉部を設け、このねじ止め用厚肉部に取り付け治具の内面から前記取り付けねじが螺入される未貫通のねじ穴を設けたことを特徴とする請求項１記載のガスメータへの通信端末装置の取り付け構造。
【請求項３】
前記カバー部の上部には適度の傾斜を持つ傾斜面が形成されていることを特徴とする請求項１または請求項２記載のガスメータへの通信端末装置の取り付け構造。
【発明の詳細な説明】
【０００１】
【発明の属する技術分野】
本発明は、ガスメータとガス供給会社のホストコンピュータを結ぶネットワークを構成する通信端末装置をガスメータに取り付ける構造に関するものである。
【０００２】
【従来の技術】
近年、公衆回線や特定小電力無線を用いてガスメータとガス供給会社のホストコンピュータとを結ぶネットワークを構成し、顧客宅のガスの使用量を遠隔で測定して検針の効率化を図るシステムが構築されている。またこのシステムにおいては顧客宅のガス使用状況、ガス圧力値等を遠隔で測定することも可能で、ガス漏れや異常使用等の緊急時には遠隔で遮断弁を操作することも可能となる。
【０００３】
このシステムを実現するため、ガスメータには指針値、圧力値、アラーム情報などを電気的信号に変換する機能が備わっており、上記電気的信号をホストコンピュータに送出するための通信端末装置が接続される。
【０００４】
メータに接続される通信端末装置には、電話回線に接続される端末網制御装置（Ｔ−ＮＣＵ）や電柱や電柱間のメッセンジャーワイヤに設置される無線親機と通信を行う無線子機等がある。
【０００５】
ところで、これら従来の通信端末装置は、建物の壁面、またはガスメータのカウンターの横に形成されたねじ穴にねじ止めして取り付けるのに好適な構造になっており、実際に上記のように取り付けられていた。
【０００６】
また、ガスメータに備わる組み立て用ねじの頭部を用いてガスメータの側部に取り付け用板を固定し、この取り付け用板に通信端末装置をねじ止めにて取り付ける方法も提案されている。
【０００７】
【発明が解決しようとする課題】
しかしながら、建物の壁面に通信端末装置を取り付けることは、壁面に傷が付くことや美観上もよくないという問題があった。
【０００８】
またガスメータのカウンターの横に形成されたねじ穴にねじ止めする方法では、ガスメータに必ずしもそのような穴がない場合があってそのような場合施工できないという問題がある。
【０００９】
またガスメータの側部に取り付け用板を固定し、その取り付け用板に通信端末装置をねじ止めする方法は、多くのガスメータに適用できる方法であるが、通信端末装置を外面側から取り付け用板に螺入した取り付けねじにてねじ止めしているために取り外し等のいたずらに遭いやすいという問題がある。
【００１０】
本発明は上記の点に鑑みてなされたものであり、多種の通信端末装置やガスメータに対して適用可能で、且つ、取り付け作業が容易で、且つ取り外し等のいたずらにも遭い難い構造で、且つ外観上も目立たない構造のガスメータへの通信端末装置の取り付け構造を提供することを課題とするものである。
【００１１】
【課題を解決するための手段】
上記課題を解決するため本発明の請求項１のガスメータへの通信端末装置の取り付け構造は、ガスメータ１の側部に取り付け治具Ａを装着すると共にこの取り付け治具Ａに通信端末装置２を取着するガスメータへの通信端末装置の取り付け構造において、通信端末装置２は、上部に取り付け片６を設けた本体２０と、該本体２０に着脱自在に取り付けられて本体２０の下部に設けた端子台２２、２８を覆う端子カバー２１、２７とからなり、取り付け治具Ａの両側に平行に対向するように設けた弾性を有する一対の固定片３をガスメータ１の側部の前面と後面に沿わせると共に固定片３に設けた穴または窪みの係止部４をガスメータの組み立て用ねじ５の頭部５ａに係止し、取り付け治具Ａにセットした通信端末装置２の取り付け片６をガスメータ１の側面と取り付け治具Ａとの間に配置し、ガスメータ１側から取り付けねじ７を上記取り付け片６に穿孔した取り付け穴２４を介して取り付け治具Ａに設けた未貫通のねじ穴１０に螺入して通信端末装置２を固定し、取り付け冶具Ａに一体に設けた下面が開口した箱状のカバー部８とガスメータ１との間に通信端末装置２を挟み込んで、該カバー部８で通信端末装置２の上部から端子カバー２１、２７の直上位置までを覆うと共に取り付け冶具Ａで端子カバー２１、２７を覆わずに端子カバー２１、２７を露出させたことを特徴とする。
【００１２】
上記のように構成したことにより、取り付け治具Ａの所定位置に通信端末装置２をセットし、取り付け片６から取り付けねじ７を取り付け治具Ａに螺入して通信端末装置２を取り付け治具Ａに取り付け、取り付け治具Ａの固定片３をガスメータ１の側部の前面と後面に沿わせると共に固定片３の係止部４を組み立て用ねじ５の頭部５ａに係止し、ガスメータ１に通信端末装置２を取り付け治具Ａにて取り付けることができる。
【００１３】
そして上記のように取り付け治具Ａにて取り付けることにより、多種の通信端末装置２やガスメータ１での取り付けに適用可能になり、また取り付け作業が容易になる。またガスメータ１側から取り付けねじ７を螺入していることにより取り付けねじ７が外観上見えることがなく、また取り外し等のいたずらに遭いにくい。また通信端末装置２の一部が取り付け治具Ａの内側に入り込む構造となることにより、従来の取り付け用板の上にねじ止めする方式に比べて外観上コンパクトになる。また、カバー部８を有する取り付け治具Ａにて通信端末装置２を覆うことができて外観上目立たないようにできると共に通信端末装置２が風雨や粉塵等に晒されて劣化するのを防止できる。また、ガスメータ１に取り付け治具Ａを用いて通信端末装置２を取り付けた後で通信端末装置２の端子カバー２１，２７を外して端子台２２，２８の配線を操作することができる。また、取り付けねじ７を螺入するねじ穴１０が見えないことにより、外観がよいと共に取り外し等のいたずらに遭いにくい。
【００１４】
また、本発明の請求項２のガスメータへの通信端末装置の取り付け構造は、請求項１において、通信端末装置２の取り付け片６を取り付ける位置で取り付け治具Ａに肉厚方向に厚くしたねじ止め用厚肉部９を設け、このねじ止め用厚肉部９に取り付け治具Ａの内面から前記取り付けねじが螺入される未貫通のねじ穴１０を設けたことを特徴とする。
【００１５】
上記のように構成したことにより、取り付けねじ７を取り付け治具Ａのねじ止め用厚肉部９のねじ穴１０に螺入して取り付けることで取り付けねじ７を取り付け治具Ａに固定できて通信端末装置２を確実に取り付けることができる。
【００１６】
また、本発明の請求項３のガスメータへの通信端末装置の取り付け構造は、請求項１または請求項２において、前記カバー部８の上部には適度の傾斜を持つ傾斜面１１が形成されていることを特徴とする。
【００１７】
上記のように構成したことにより、雨水や粉塵等がカバー部８の上部に溜まったり、堆積したりするのを防止できる。
【００１８】
【発明の実施の形態】
先ず、図１乃至図３に示す実施の形態の例から述べる。ここで通信端末装置２として無線子機２ａを挙げるが、これは端末網制御装置（Ｔ−ＮＣＵ）２ｂであってもよい。またガスメータ１として膜式ガスメータを挙げるが、電子式メータ（フィルディックメータや超音波メータ等）であってもよい。
【００１９】
通信ネットワークを構成するガスメータ１は大きく計量部１５とマイコン部１６とカウンター１７の３つの部分からなる。計量部１５は内部に膜式機構の計量器があり、組み立て用ねじ５によって組み立てられている。またマイコン部１６の背面から、電気的信号を外部に出力するための通信線１８が取り出されている。
【００２０】
また通信端末装置２としての無線子機２ａはガスメータ１の通信線１８にて接続され、無線親機と特定小電力無線等の無線手段を用いて通信を行うものである。無線親機は公衆回線、例えばＰＨＳ回線等を通じてガス供給会社のホストコンピュータに接続されており、これにより、顧客宅のガスメータ１とホストコンピュータを結ぶネットワークが構築される。
【００２１】
無線子機２ａは図３に示すように本体２０と端子カバー２１からなり、本体２０の下部には端子台２２を備えている。端子台２２は端子カバー２１にて覆われるが、端子カバー２１はねじ等で着脱自在に取り付けてある。この端子台２２には上記通信線１８を接続するようになっている。端子台２２の内部には磁石で起動するリードスイッチ２３を備えており、ガスメータ１と無線子機２ａとを接続した後の初期設定時にはこのリードスイッチ２３の近辺に磁石を当てて初期設定動作を行わせる必要がある。また本体２０の上部右側には取り付け片６を設けてあり、取り付け片６には２個の取り付け穴２４を穿孔してある。
【００２２】
通信端末装置２をガスメータ１に取り付ける取り付け治具Ａは本例の場合、図２に示すように合成樹脂にて一体に形成されている。取り付け治具Ａは略門型の本体部２５と、一対の固定片３と、カバー部８とで主体が構成されている。本体部２５の両側のフランジ２５ａからフランジ２５ａに対して垂直になるように固定片３を一体に連出してあり、両側の固定片３は平行に対向している。この両側の固定片３には上記ガスメータ１の組み立て用ねじ５の頭部５ａに係止する係止部４を上下に適当な間隔を隔てて設けられている。かかる係止部４は穴または窪みで形成されているが、本例の場合穴である。カバー部８は下面が開口した箱状に形成されており、本体部２５に一体に設けられている。かかるカバー部８は通信端末装置２を覆い、ガスメータ１との間で通信端末装置２を挟み込む構造になっている。カバー部８の上部には傾斜面１１を設けてあり、上部に雨水や粉塵等が溜まらないようになっている。取り付け治具Ａのカバー部８の内部の上部にはカバー部８から内側に突出する突起部９ａを設けてあり、この突起部９ａにより肉厚方向に厚くしたねじ止め用厚肉部９を形成してあり、このねじ止め用厚肉部９には取り付け治具Ａの内面から未貫通のねじ穴１０を穿孔してある。本例の場合、上下に２個のねじ穴１０を穿孔してある。また本例のカバー部８は通信端末装置２としての無線子機２ａの上部から端子カバー２１の直上位置まで覆う大きさのものである。つまり、下部の端子カバー２１は覆わない大きさである。
【００２３】
そして通信端末装置２としての無線子機２ａを取り付け治具Ａにてガスメータ１に取り付けるには次のように行う。取り付け治具Ａの内面側に無線子機２ａを配置し、無線子機２ａの取り付け片６の取り付け穴２４とねじ穴１０を対応させ、ビスような取り付けねじ７を取り付け穴２４からねじ穴１０に螺入し、取り付けねじ７を締め付けることで固定する。そして取り付け治具Ａの一対の固定片３をガスメータ１の側部の前面及び後面に沿わせ、係止部４を組み立て用ねじ５の頭部５ａに係止して図１（ａ）のように取り付ける。次に、ガスメータ１の通信線１８を無線子機２ａの端子台２２に接続する。然る後、無線子機２ａの端子台２２のリードスイッチ２３付近に磁石を当て、初期設定を行う。
【００２４】
上記のように無線子機２ａを取り付け治具Ａにて取り付けるとき、取り付けねじ７をねじ止め用厚肉部９のねじ穴１０に螺合するために強固に固定できる。また取り付けねじ７を取り付け治具Ａの内面側から螺合すると共にねじ穴１０が未貫通のために外部から取り付けねじ７が見えることがなく、取り外し等のいたずらに遭い難く、また美観上も都合がよい。また無線子機２ａの大部分は取り付け治具Ａのカバー部８にて覆われるため、いたずら等の被害に遭い難いだけでなく、雨水や粉塵等が直接無線子機２ａに当たって無線子機２ａが劣化するのを防ぐことができる。またカバー部５の上部には傾斜面１１が設けられているために雨水や粉塵等の溜まりや堆積を防ぐことができ、劣化したり、美観を損なったりするのを防止できる。また取り付け治具Ａは固定片３の弾性を利用して取り付けるが、この固定片３の材質は、硬質過ぎると前記の嵌め込みよる係止が物理的に困難となり、軟質過ぎると容易に取り外せてしまうため、適度な弾力性を持たせることが肝要である。これに適した材質としては厚さ３ｍｍ前後のＡＡＳ樹脂（アクリロニトリル・アクリレート・スチレン樹脂）を用いることが考えらえる。また取り付け治具Ａのカバー部８は無線子機２ａの上部から端子カバー２１の直上位置まで覆う大きさであるために、端子カバー２１のある部分は露出した状態となり、無線子機２ａの取り付け後の端子カバー２１の着脱、通信線１８の配線、初期設定のための磁石の近接等が容易に行える。
【００２５】
なお、上記例では通信端末装置２として無線子機２ａを取り付けるものについて述べたが、通信端末装置２として後述の端末網制御装置２ｂを用いる場合も同様に実施できる。
【００２６】
次に図４、図５の参考例について述べる。ここで通信端末装置２として端末網制御装置（Ｔ−ＮＣＵ）２ｂを挙げるが、これは無線子機２ａであってもよい。またガスメータ１として膜式ガスメータを挙げるが、電子式メータ（フィルディックメータや超音波メータ等）であってもよい。本例のガスメータ１は上記の実施の形態の例で述べたものと同じである。
【００２７】
通信端末装置２としての端末網制御装置２ｂは、公衆回線と電話機とガスメータ１の３つに接続され、通常は電話機が公衆回線に接続されており、特定の信号（ノーリンギング信号）により起動された時、またはガスメータ１が発呼したときガスメータ１と公衆回線を繋ぐ、いわば切り分け器的な役割を果たす。この端末網制御装置２ｂは、図５に示すように本体２６と、端子カバー２７とからなり、本体２６の下部には端子台２８を備えている。端子台２８は端子カバー２７にて覆われるが、端子カバー２７はねじ等で着脱自在に取り付けてある。この端子台２８にはガスメータ１からの通信線１８と、公衆回線の保安器からの通信線と、電話機への通信線を接続するようになっている。また本体２６の上部中央には取り付け片６を設けてあり、取り付け片６には１個の取り付け穴２４を穿孔してある。
【００２８】
通信端末装置２をガスメータ１に取り付ける取り付け治具Ａは本例の場合、図４に示すように合成樹脂にて一体に形成されている。取り付け治具Ａは略門型の本体部２５と、一対の固定片３とで主体が構成されている。本体部２５の両側のフランジ２５ａからフランジ２５ａに対して垂直になるように固定片３を一体に連出してあり、両側の固定片３は平行に対向している。この両側の固定片３には上記ガスメータ１の組み立て用ねじ５の頭部５ａに係止する係止部４を上下に適当な間隔を隔てて設けられている。かかる係止部４は穴または窪みで形成されているが、本例の場合穴である。本体部２５の上のフランジ２５ｂは上下方向にある程度の巾のあるものであり、フランジ２５ｂの外面側の左右方向の中央にはフランジ２５ｂから外側に突出する突起部９ａを設けてあり、この突起部９ａにより肉厚方向に厚くしたねじ止め用厚肉部９を形成してあり、このねじ止め用厚肉部９には内面側から未貫通のねじ穴１０を穿孔してある。本例の場合、１個のねじ穴１０を穿孔してある。
【００２９】
そして通信端末装置２としての端末網制御装置２ｂを取り付け治具Ａにてガスメータ１に取り付けるには次のように行う。取り付け治具Ａの本体部２５の上と左右のフランジ２５ａ，２５ｂで囲まれる開口２９に端末網制御装置２ｂを配置すると共に取り付け片６をフランジ２５ｂの内面側に沿わせ、端末網制御装置２ｂの取り付け片６の取り付け穴２４とねじ穴１０を対応させ、ビスような取り付けねじ７を取り付け穴２４からねじ穴１０に螺入し、取り付けねじ７を締め付けることで固定する。そして取り付け治具Ａの一対の固定片３をガスメータ１の側部の前面及び後面に沿わせ、係止部４を組み立て用ねじ５の頭部５ａに係止して取り付ける。次に、ガスメータ１の通信線１８を端末網制御装置２ｂの端子台２８に接続し、電話線や保安器からの通信線も端子台２８に接続する。
【００３０】
上記のように端末網制御装置２ｂを取り付け治具Ａにて取り付けるとき、取り付けねじ７をねじ止め用厚肉部９のねじ穴１０に螺合するために強固に固定できる。また取り付けねじ７を取り付け治具Ａの内面側から螺合すると共にねじ穴１０が未貫通のために外部から取り付けねじ７が見えることがなく、取り外し等のいたずらに遭い難く、また美観上も都合がよい。また取り付け治具Ａの場合も固定片３に適した材質としては厚さ３ｍｍ前後のＡＡＳ樹脂（アクリロニトリル・アクリレート・スチレン樹脂）を用いることが考えらえる。
【００３１】
なお、上記例では通信端末装置２として端末網制御装置２ｂを取り付けるものについて述べたが、通信端末装置２として無線子機２ａを用いる場合も同様に実施できる。
【００３２】
次に図６に示す実施の形態の例について述べる。この取り付け治具Ａは図２に示すものと基本的に同じであるが、突起部９ａで形成したねじ止め用厚肉部９の構造だけが異なる。本例の場合、ねじ止め用厚肉部９が略Ｌ字状に形成されており、ねじ止め用厚肉部９に３個のねじ穴１０を穿孔してある。そして符号１０ａ、１０ｂに示すねじ穴を利用して通信端末装置２としての無線子機２ａを取り付けることができるようになっており、符号１０ｃに示すねじ穴を利用して通信端末装置２としての端末網制御装置２ｂを取り付けることができるようになっている。このように形成してあると同じ取り付け治具Ａにて無線子機２ａも端末網制御装置２ｂも取り付けることができる。
【００３３】
次に図７に示す実施の形態の例について述べる。この取り付け治具Ａも図２に示すものと基本的に同じであるが、突起部９ａで形成したねじ止め用厚肉部９の構造だけが異なる。本例の場合、取り付け治具Ａの本体部２５の上にフランジ２５ｂを有し、このフランジ２５ｂの外面に外面側に突出するように突起部９ａを設けてあり、この突起部９ａにてねじ止め用厚肉部９を形成してある。
【００３４】
【発明の効果】
本発明の請求項１の発明は、上記のように通信端末装置は、上部に取り付け片を設けた本体と、該本体に着脱自在に取り付けられて本体の下部に設けた端子台を覆う端子カバーとからなり、取り付け治具の両側に平行に対向するように設けた弾性を有する一対の固定片をガスメータの側部の前面と後面に沿わせると共に固定片に設けた穴または窪みの係止部をガスメータの組み立て用ねじの頭部に係止し、取り付け治具にセットした通信端末装置の取り付け片をガスメータの側面と取り付け治具との間に配置し、ガスメータ側から取り付けねじを上記取り付け片に穿孔した取り付け穴を介して取り付け治具に設けた未貫通のねじ穴に螺入して通信端末装置を固定し、取り付け冶具に一体に設けた下面が開口した箱状のカバー部とガスメータとの間に通信端末装置を挟み込んで、該カバー部で通信端末装置の上部から端子カバーの直上位置までを覆うと共に取り付け冶具で端子カバーを覆わずに端子カバーを露出させたものであって、上記のように取り付け治具にて取り付けるので、多種の通信端末装置やガスメータでの取り付けに適用可能になり、また取り付け作業が容易になるものであり、またガスメータ側から取り付けねじを螺入しているので、取り付けねじが外観上見えることがなく、取り外し等のいたずらに遭いにくいものであり、また通信端末装置の一部が取り付け治具の内側に入り込む構造となるので、従来の取り付け用板の上にねじ止めする方式に比べて外観上コンパクトになるものである。
【００３５】
また、通信端末装置を覆い、ガスメータとの間に通信端末装置を挟みこむカバー部を上記取り付け治具に備えているので、カバー部を有する取り付け治具にて通信端末装置を覆うことができて外観上目立たないようにできると共に通信端末装置が風雨や粉塵等に晒されて劣化するのを防止できるものである。また、前記カバー部は通信端末装置の上部から通信端末装置の端子カバーの直上位置まで覆うように形成されているので、ガスメータに取り付け治具を用いて通信端末装置を取り付けた後で通信端末装置の端子カバーを外して端子台の配線を操作することができるものである。
【００３６】
また、本発明の請求項２の発明は、請求項１において、通信端末装置の取り付け片を取り付ける位置で取り付け治具に肉厚方向に厚くしたねじ止め用厚肉部を設け、このねじ止め用厚肉部に取り付け治具の内面から前記取り付けねじが螺入される未貫通のねじ穴を設けたので、取り付けねじを取り付け治具のねじ止め用厚肉部のねじ穴に螺入して取り付けることで取り付けねじを取り付け治具に固定できて通信端末装置を確実に取り付けることができるものであり、また取り付けねじを螺入するねじ穴が見えないので、外観がよいと共に取り外し等のいたずらに遭いにくいものである。
【００３７】
また、本発明の請求項３の発明は、請求項１または請求項２において、前記カバー部の上部には適度の傾斜を持つ傾斜面が形成されているので、雨水や粉塵等がカバー部の上部に溜まったり、堆積したりするのを防止できるものである。
【図面の簡単な説明】
【図１】  本発明の実施の形態の一例を示し、（ａ）は斜視図、（ｂ）は分解斜視図である。
【図２】  同上の取り付け治具を示し、（ａ）は外面側から見た斜視図、（ｂ）は内面側から見た斜視図である。
【図３】  同上の通信端末装置としての無線子機を示し、（ａ）は正面図、（ｂ）は側面図、（ｃ）は端子カバーを外した状態の正面図である。
【図４】  参考例の取り付け治具を示し、（ａ）は外面側から見た斜視図、（ｂ）は内面側から見た斜視図である。
【図５】  同上の通信端末装置としての端末網制御装置を示し、（ａ）は端子カバーを外した状態の正面図、（ｂ）は端子カバーを取り付けた状態の側面図である。
【図６】  同上の他の例の取り付け治具の背面図である。
【図７】  同上の他の例の取り付け治具を示し、（ａ）は外面側から見た斜視図、（ｂ）は内面側から見た斜視図である。
【符号の説明】
Ａ  取り付け治具
１  ガスメータ
２  通信端末装置
３  固定片
４  係止部
５  組み立て用ねじ
５ａ  頭部
６  取り付け片
７  取り付けねじ
８  カバー部
９  ねじ止め用厚肉部
１０  ねじ穴
１１  傾斜面
２１  端子カバー
２２  端子台
２７  端子カバー
２８  端子台
【図１】
0004054143.tif 000002
【図２】
0004054143.tif 000003
【図３】
0004054143.tif 000004
【図４】
0004054143.tif 000005
【図５】
0004054143.tif 000006
【図６】
0004054143.tif 000007
【図７】
0004054143.tif 000008